(57)【特許請求の範囲】
【請求項１】
１回の撮影指示に応じて、複数の撮影画像を取得する取得手段と、
前記撮影指示に応じた撮影の後、前記複数の撮影画像を配置した配置画像を自動的に生成する生成手段と、
前記配置画像を表示する表示手段と、
前記配置画像を１つの画像として記憶手段に記録する第１の記録手段と、
ユーザ操作を受け付ける受付手段と、
前記受付手段が所定の指示を受け付けなかった場合に、前記配置画像を前記記憶手段から削除する削除手段と
を有することを特徴とする撮像装置。
【請求項２】
１回の撮影指示に応じて、複数の撮影画像を取得する取得手段と、
前記撮影指示に応じた撮影の後、前記複数の撮影画像を配置した配置画像を自動的に生成する生成手段と、
前記配置画像を表示する表示手段と、
前記配置画像を１つの画像として記憶手段に記録する第１の記録手段と、
ユーザ操作を受け付ける受付手段と
を有し、
前記第１の記録手段は、前記受付手段が所定の指示を受け付けた場合に、前記配置画像を記録し、
前記所定の指示は、お気に入り登録指示、保護指示及び転送指示のうち少なくとも１つを含むことを特徴とする撮像装置。
【請求項３】
前記所定の指示は、お気に入り登録指示、保護指示及び転送指示のうち少なくとも１つを含むことを特徴とする請求項１に記載の撮像装置。
【請求項４】
１回の撮影指示に応じて、複数の撮影画像を取得する取得手段と、
前記撮影指示に応じた撮影の後、前記複数の撮影画像を配置した配置画像を自動的に生成する生成手段と、
前記配置画像を表示する表示手段と、
前記配置画像を１つの画像として記憶手段に記録する第１の記録手段と、
前記複数の撮影画像を記憶手段に記録する第２の記録手段と、
前記複数の撮影画像のうち少なくとも１つの撮影画像が削除された場合に、前記配置画像を削除する削除手段と
を有することを特徴とする撮像装置。
【請求項５】
１回の撮影指示に応じて、複数の撮影画像を取得する取得手段と、
前記撮影指示に応じた撮影の後、前記複数の撮影画像を配置した配置画像を自動的に生成する生成手段と、
前記配置画像を表示する表示手段と、
前記配置画像を１つの画像として記憶手段に記録する第１の記録手段と、
前記複数の撮影画像を記憶手段に記録する第２の記録手段と、
前記配置画像が削除された場合に、前記記憶手段から複数の撮影画像を削除する削除手段と
を有することを特徴とする撮像装置。
【請求項６】
１回の撮影指示に応じて、複数の撮影画像を取得する取得手段と、
前記撮影指示に応じた撮影の後、前記複数の撮影画像を配置した配置画像を自動的に生成する生成手段と、
前記配置画像を表示する表示手段と、
前記配置画像を１つの画像として記憶手段に記録する第１の記録手段と
を有し、
前記生成手段は、前記複数の撮影画像のうち少なくとも１つの撮影画像が編集又は削除された場合に、再び前記配置画像を生成し、
既に記録されている前記配置画像を新たに生成された前記配置画像に更新する更新手段をさらに有することを特徴とする撮像装置。
【請求項７】
１回の撮影指示に応じて、複数の撮影画像を取得する取得手段と、
前記撮影指示に応じた撮影の後、前記複数の撮影画像を配置した配置画像を自動的に生成する生成手段と、
前記配置画像を表示する表示手段と、
前記配置画像を１つの画像として記憶手段に記録する第１の記録手段と
を有し、
前記表示手段は、前記記憶手段に記録された前記配置画像と、前記生成手段により生成された配置画像とを識別可能に表示することを特徴とする撮像装置。
【請求項８】
前記第１の記録手段は、前記配置画像を記録する動作モードに設定されている場合に、前記配置画像を前記記憶手段に記録することを特徴とする請求項１乃至７何れか１項に記載の撮像装置。
【請求項９】
前記第１の記録手段は、前記配置画像を前記複数の撮影画像のうち少なくとも１つに関連付けて記録することを特徴とする請求項１乃至８何れか１項に記載の撮像装置。
【請求項１０】
撮像装置が実行する情報処理方法であって、
１回の撮影指示に応じて、複数の撮影画像を取得する取得ステップと、
前記撮影指示に応じた撮影の後、前記複数の撮影画像を配置した配置画像を自動的に生成する生成ステップと、
前記配置画像を表示する表示ステップと、
前記配置画像を１つの画像として記憶手段に記録する第１の記録ステップと、
ユーザ操作を受け付ける受付ステップと、
前記受付ステップにおいて所定の指示を受け付けなかった場合に、前記配置画像を前記記憶手段から削除する削除ステップと
を含むことを特徴とする情報処理方法。
【請求項１１】
撮像装置が実行する情報処理方法であって、
１回の撮影指示に応じて、複数の撮影画像を取得する取得ステップと、
前記撮影指示に応じた撮影の後、前記複数の撮影画像を配置した配置画像を自動的に生成する生成ステップと、
前記配置画像を表示する表示ステップと、
前記配置画像を１つの画像として記憶手段に記録する第１の記録ステップと、
ユーザ操作を受け付ける受付ステップと
を含み、
前記第１の記録ステップでは、前記受付ステップにおいて所定の指示を受け付けた場合に、前記配置画像を記録し、
前記所定の指示は、お気に入り登録指示、保護指示及び転送指示のうち少なくとも１つを含むことを特徴とする情報処理方法。
【請求項１２】
撮像装置が実行する情報処理方法であって、
１回の撮影指示に応じて、複数の撮影画像を取得する取得ステップと、
前記撮影指示に応じた撮影の後、前記複数の撮影画像を配置した配置画像を自動的に生成する生成ステップと、
前記配置画像を表示する表示ステップと、
前記配置画像を１つの画像として記憶手段に記録する第１の記録ステップと、
前記複数の撮影画像を記憶手段に記録する第２の記録ステップと、
前記複数の撮影画像のうち少なくとも１つの撮影画像が削除された場合に、前記配置画像を削除する削除ステップと
を含むことを特徴とする情報処理方法。
【請求項１３】
撮像装置が実行する情報処理方法であって、
１回の撮影指示に応じて、複数の撮影画像を取得する取得ステップと、
前記撮影指示に応じた撮影の後、前記複数の撮影画像を配置した配置画像を自動的に生成する生成ステップと、
前記配置画像を表示する表示ステップと、
前記配置画像を１つの画像として記憶手段に記録する第１の記録ステップと、
前記複数の撮影画像を記憶手段に記録する第２の記録ステップと、
前記配置画像が削除された場合に、前記記憶手段から複数の撮影画像を削除する削除ステップと
を含むことを特徴とする情報処理方法。
【請求項１４】
撮像装置が実行する情報処理方法であって、
１回の撮影指示に応じて、複数の撮影画像を取得する取得ステップと、
前記撮影指示に応じた撮影の後、前記複数の撮影画像を配置した配置画像を自動的に生成する生成ステップと、
前記配置画像を表示する表示ステップと、
前記配置画像を１つの画像として記憶手段に記録する第１の記録ステップと
を含み、
前記生成ステップでは、前記複数の撮影画像のうち少なくとも１つの撮影画像が編集又は削除された場合に、再び前記配置画像を生成し、
既に記録されている前記配置画像を新たに生成された前記配置画像に更新する更新ステップをさらに含むことを特徴とする情報処理方法。
【請求項１５】
撮像装置が実行する情報処理方法であって、
１回の撮影指示に応じて、複数の撮影画像を取得する取得ステップと、
前記撮影指示に応じた撮影の後、前記複数の撮影画像を配置した配置画像を自動的に生成する生成ステップと、
前記配置画像を表示する表示ステップと、
前記配置画像を１つの画像として記憶手段に記録する第１の記録ステップと
を含み、
前記表示ステップでは、前記記憶手段に記録された前記配置画像と、前記生成ステップにおいて生成された配置画像とを識別可能に表示することを特徴とする情報処理方法。
【請求項１６】
コンピュータを、請求項１乃至９何れか１項に記載された撮像装置の各手段として機能させるためのプログラム。
【請求項１７】
コンピュータを、請求項１乃至９何れか１項に記載された撮像装置の各手段として機能させるためのプログラムを格納したコンピュータが読み取り可能な記憶媒体。
【発明の詳細な説明】
【技術分野】
【０００１】
本発明は、撮像装置、情報処理方法及びプログラムに関する。
【背景技術】
【０００２】
従来、連写やブラケット撮影等において、１回の撮影指示によって複数の画像を撮影し、撮影後に、撮影された複数の画像を所定の配置でマルチレビュー表示することのできる撮像装置が知られている。このような撮像装置において、マルチ表示した状態を見てユーザが気に入った場合、マルチ表示した状態を単一の画像として記録したり、さらにＳＮＳ等で共有したりしたいという要望がある。特許文献１には、連続撮影によって得られた所定数の画像を配列して合成し、単一の画像として生成する撮影モードが提案されている。特許文献２には、予め記録された複数の画像を自動で配置して出力する方法が提案されている。
【先行技術文献】
【特許文献】
【０００３】
【特許文献１】特開２００４−２４８０５８号公報
【特許文献２】特開平９−１９０５４６号公報
【発明の概要】
【発明が解決しようとする課題】
【０００４】
しかしながら、上述の特許文献１の技術では、撮影後に必ずマルチ表示画像を記録するため、ユーザが気に入っていないマルチ表示画像も記録してしまう。そのため、記録媒体の容量を不要に消費してしまうし、不要なマルチ表示画像の消去を手動で行う手間がかかるという課題がある。また、上述の特許文献２の技術では、撮影終了後に再生モードに遷移し、気に入ったマルチ表示画像を作成して記録するというステップが必要となってしまう。
【０００５】
本発明はこのような問題点に鑑みなされたもので、１回の撮影指示に応じて生成された複数の撮影画像が配置された配置画像を、煩雑な操作を行うことなく記録することを目的とする。
【課題を解決するための手段】
【０００６】
そこで、本発明は、撮像装置であって、１回の撮影指示に応じて、複数の撮影画像を取得する取得手段と、前記撮影指示に応じた撮影の後、前記複数の撮影画像を配置した配置画像を自動的に生成する生成手段と、前記配置画像を表示する表示手段と、前記配置画像を１つの画像として記憶手段に記録する第１の記録手段と、ユーザ操作を受け付ける受付手段と、前記受付手段が所定の指示を受け付けなかった場合に、前記配置画像を前記記憶手段から削除する削除手段とを有することを特徴とする。
【発明の効果】
【０００７】
本発明によれば、１回の撮影指示に応じて生成された複数の撮影画像が配置された配置画像を、煩雑な操作を行うことなく記録することができる。
【図面の簡単な説明】
【０００８】
【図１】第１の実施形態に係る撮像装置を示す図である。
【図２】レビュー処理を示すフローチャートである。
【図３】レビュー処理の説明図である。
【図４】第２の実施形態に係るレビュー処理を示すフローチャートである。
【図５】レビュー処理の説明図である。
【図６】配置画像の記録に関する動作モードの設定画面の一例を示す図である。
【図７】第３の実施形態に係るレビュー処理を示すフローチャートである。
【発明を実施するための形態】
【０００９】
以下、本発明の実施形態について図面に基づいて説明する。
【００１０】
（第１の実施形態）
図１は、第１の実施形態に係る撮像装置１００を示す図である。システム制御部１０１は、例えば、ＣＰＵ（ＭＰＵ）、メモリ（ＤＲＡＭ、ＳＲＡＭ）等からなり、各種処理（プログラム）を実行して撮像装置１００の各ブロックを制御したり、各ブロック間でのデータ転送を制御したりする。また、システム制御部１０１は、ユーザからの操作を受け付ける操作部１０２やシャッターボタン１０３からの操作信号に応じて、撮像装置１００の各ブロックを制御する。操作部１０２は、電源ボタン、モード切り替えスイッチ、画像操作用ボタン等からなる。電源ボタンがユーザにより操作されると、撮像装置１００の各ブロックに必要な電圧が供給され、システム制御部１０１の制御による起動処理が実行される。
【００１１】
モード切り替えスイッチがユーザにより操作されると、システム制御部１０１の動作モードが任意の静止画撮影モードに切り替わる。画像操作用ボタンがユーザにより操作されると、撮影した画像の付加情報として「お気に入り」や「保護」属性を付加したり、プリンタや外部接続機器へ画像を転送したり、画像を削除したりする等の操作が可能である。
【００１２】
シャッターボタン１０３がユーザにより操作されると、システム制御部１０１に操作信号を送信し、撮影準備処理及び撮影処理が実行される。撮影準備処理では、フォーカス制御部１０５によるＡＦ（オートフォーカス）処理、絞り制御部１０７によるＡＥ（自動露出）処理、ＡＷＢ（オートホワイトバランス）処理、ＥＦ（フラッシュプリ発光、フラッシュ発光）処理等が行われる。撮影処理では、撮像素子１０８から読み出した信号から画像処理部１０９、メモリ制御部１１０を介して画像が生成され、メモリ制御部１１０により記録媒体１１３に画像が書き込まれる。
【００１３】
フォーカスレンズ１０４は、ピント合わせのために必要なレンズである。フォーカス制御部１０５は、ピント合わせの際にフォーカスレンズ１０４の駆動を制御する。撮影準備処理ではフォーカスレンズ１０４を撮影用ＡＦのためのスキャン開始位置へ移動し、スキャンの実行、及びピントの合う位置への移動を行う。絞り１０６は、撮像素子１０８に取り込む光の量を調整する。絞り制御部１０７は、撮像素子１０８に取り込む光の量が最適な露出となるように絞り１０６を制御する。絞り制御部１０７はまた、最適な露出だけでなく、ユーザにより任意に設定された露出となるように制御したり、露出補正値にしたがって適正値よりオーバー（明るめ）またはアンダー（暗め）な露出となるように制御したりすることもできる。
【００１４】
撮像素子１０８は、レンズにより取り込まれた被写体の光学像を、絞り１０６により光量を制御して、ＣＣＤセンサやＣＭＯＳセンサ等の撮像素子により画像信号に変換し、アナログデジタル変換後に、画像処理部１０９及びメモリ制御部１１０に送信する。画像処理部１０９は、撮像素子１０８からのデータ又はメモリ制御部１１０からのデータに対して所定の画素補間処理や色変換処理を行う。そして、画像処理部１０９で処理された画像信号はメモリ制御部１１０に送信される。メモリ制御部１１０は、画像処理部１０９、画像表示メモリ１１１、記録媒体１１３への書き込みを制御する。撮像素子１０８からのデータは画像処理部１０９、メモリ制御部１１０を介して、画像表示メモリ１１１や記録媒体１１３に書き込まれる。
【００１５】
表示部１１２は、画像表示メモリ１１１から送信された画像信号による映像や、撮像装置１００の操作をするための操作画面（メニュー画面）、撮影設定情報等を表示する。表示部１１２は、例えば液晶ディスプレイ、有機ＥＬディスプレイ、電子ペーパー等の表示デバイスであれば何でもよい。表示部１１２を用いて撮像した画像データを逐次表示（以下、スルー画像表示）すれば、電子ファインダー機能を実現することが可能である。また、表示部１１２は、システム制御部１０１の指示により任意に表示をＯＮ／ＯＦＦすることが可能であり、表示をＯＦＦした場合には撮像装置１００の電力消費を大幅に低減することができる。また、画像処理部１０９により切り出し・拡大処理を行った後に画像表示メモリ１１１に格納し、その画像を表示部１１２に表示することで、電子ズーム機能を実現することが可能である。記録媒体１１３は、撮像装置１００に着脱可能なメモリカードやハードディスク等である。なお、後述する撮像装置１００の機能や処理は、システム制御部１０１のＣＰＵがメモリ等に格納されているプログラムを読み出し、このプログラムを実行することにより実現されるものである。
【００１６】
撮像装置１００は、マルチショットモードでの撮影が可能である。マルチショットモードとは、静止画撮影モードの１つとして備えられた撮影モードである。撮像装置１００は、モード切り替えスイッチの操作に応じて、撮影モードをマルチショットモードに切り替えることができる。マルチショットモードでは、撮像装置１００は、１回のシャッターボタン１０３の操作に応じて、露出やフォーカス位置を変えた３回の撮影を行い、３枚のＲＡＷ画像をメモリ上に生成する。そして、撮像装置１００は、撮影後の後処理で３枚のＲＡＷ画像から６枚の撮影画像を生成する。そして、撮像装置１００は、６枚の撮像装置を記録媒体１１３に記録する（記録処理）。撮像装置１００は、３回の撮影を行う際は、露出の違うパターン、異なるピント位置での撮影が可能であり、撮影シーンの解析結果に応じてシステム制御部１０１が自動で撮影方法を変える仕組みになっている。また、撮像装置１００は、後処理で６枚の撮影画像を生成する際には、３枚のＲＡＷ画像のうちの任意の画像に対して、ぼかし処理、色フィルタ処理、トリミング等の画像処理を組み合わせて実施する。これにより、互いに異なる６枚の撮影画像が生成される。
【００１７】
生成された６枚の撮影画像は、短い期間で同じ被写体を撮影したものであるにも関わらず、構図や色、明るさやピント等の組み合わせが異なる、バリエーション豊かな画像となる。したがって、マルチショットモードで撮影を行うことにより、撮像装置１００の操作や、構図の決め方に詳しくないユーザであっても、同じ被写体に対してそれぞれ雰囲気が異なり、面白みのある画像を得ることができる。なお、マルチショットモードにおいて得られる撮影画像の数は複数であればよく、６枚に限定されるものではない。
【００１８】
さらに、撮像装置１００は、マルチショットモードでは、６枚の撮影画像を生成後、自動的に行われるレビュー表示として、６枚の撮影画像を所定の位置に配置した画像を表示する。以下、このように１回の撮影指示に対応して得られた複数の撮影画像を配置した１つの画像を表示することをマルチ表示と称することとする。マルチ表示中は、ユーザは、１回の撮影指示に応じて生成された６枚の撮影画像中から１枚の撮影画像を選択して拡大表示したり、「お気に入り」、「保護」、「転送」、「削除」等の操作を行ったりすることができる。ここで、「お気に入り」、「保護」、「転送」、「削除」の操作については後に詳述する。
【００１９】
図２は、撮像装置１００によるレビュー処理を示すフローチャートである。撮像装置１００は、マルチショットモードにおいて１回の撮影指示に従い撮影を行い、複数の撮影画像を取得すると（取得処理）、マルチショット用レビュー表示を行うレビュー処理を開始する。Ｓ２００において、システム制御部１０１は、１回の撮影指示に応じて取得した複数の撮影画像をマルチ表示する。具体的には、システム制御部１０１は、それぞれをリサイズし、所定の配置パターンで画像表示メモリ１１１に配置し、これを表示部１１２に表示する。なお、画像表示メモリ１１１に配置された画像は配置画像の一例であり、Ｓ２００の処理は、配置画像を表示する表示処理の一例である。例えば、図３（ａ）に示す複数の撮影画像が得られた場合には、図３（ｂ）に示すような、複数の撮影画像が配置された配置画像の表示、すなわちマルチ表示が行われる。
【００２０】
次に、Ｓ２０１において、システム制御部１０１は、操作部１０２に含まれるＦＵＮＣボタンが操作されたか否かを判定する。システム制御部１０１は、マルチ表示中にＦＵＮＣボタンが操作されると、撮影画像に対する様々な処理を行うことができる。システム制御部１０１は、例えば、撮影画像の付加情報として「お気に入り」や「保護」属性を付加したり、プリンタや外部接続機器へ撮影画像を転送したり、撮影画像を削除したりすることが可能である。なお、これらの撮影画像に対する操作は、生成した６枚の撮影画像の各々に対して行うこともできるし、６枚の撮影画像全てに対して一括で行うこともできる。システム制御部１０１は、ＦＵＮＣボタンが操作されていない場合は（Ｓ２０１でＮｏ）、処理をＳ２０２へ進める。システム制御部１０１は、ＦＵＮＣボタンが操作された場合には（Ｓ２０１でＹｅｓ）、処理をＳ２０３へ進める。
【００２１】
Ｓ２０２において、システム制御部１０１は、マルチ表示を解除するか否かを判定する。システム制御部１０１は、例えばユーザによりシャッターボタン１０３が操作され、撮影待機状態に復帰する必要がある場合や、予め設定されたレビュー表示時間が経過した場合等、マルチ表示の解除条件を満たす場合に、マルチ表示を解除すると判定する。システム制御部１０１は、マルチ表示を解除すると判定した場合には（Ｓ２０２でＹｅｓ）、レビュー処理を終了する。一方、システム制御部１０１は、マルチ表示を解除しないと判定した場合には（Ｓ２０２でＮｏ）、処理をＳ２０１へ進める。
【００２２】
Ｓ２０３において、システム制御部１０１は、ユーザが画像操作を行うための「お気に入り」、「保護」、「転送」、「削除」及び「マルチ表示画像保存」の項目からなるＦＵＮＣメニューを、配置画像に重畳して表示する。この状態において、ユーザは操作部１０２を操作することでＦＵＮＣメニューから項目を選択し、１枚または全部の撮影画像に対する操作を行う。図３（ｃ）は、ＦＵＮＣメニューの表示例を示す図である。
【００２３】
次に、Ｓ２０４において、システム制御部１０１は、お気に入りの登録指示を受け付けたか否かを判定する。システム制御部１０１は、ユーザにより「お気に入り」の項目が選択された場合に、お気に入りの登録指示を受け付ける。システム制御部１０１は、お気に入りの登録指示を受け付けた場合には（Ｓ２０４でＹｅｓ）、処理をＳ２０５へ進める。システム制御部１０１は、お気に入りの登録指示を受け付けなかった場合には（Ｓ２０４でＮｏ）、処理をＳ２０７へ進める。
【００２４】
Ｓ２０５において、システム制御部１０１は、図３（ｃ）に示すように、表示部１１２のマルチ表示の状態の画像、すなわち複数の撮影画像が配置された画像全体を単一の配置画像として記録媒体１１３に記録する。具体的には、システム制御部１０１は、マルチ表示用に画像表示メモリ１１１に配置した画像から単一の配置画像を生成し（生成処理）、これを１つの画像ファイルとして記録媒体１１３に記録する。以下、単に配置画像を記録するといった場合は、このように配置画像を単一の画像の画像ファイルとして記録する処理であるものとする。なお、他の例としては、システム制御部１０１は、画像表示メモリ１１１とば別のメモリ領域に、より大きな画像サイズでマルチ表示画像を作成し、このマルチ表示画像から配置画像を生成し、これを記録してもよい。
【００２５】
次に、Ｓ２０６において、システム制御部１０１は、撮影画像に対し、付加情報として「お気に入り」属性を付加し、その後処理をＳ２０２へ進める。なお、Ｓ２０６において、「お気に入り」属性を付加する対象は、マルチショットモードにおいて生成された複数の撮影画像及び配置画像のうち少なくとも１つの画像であればよい。撮像装置１００は、再生モードにおいて、「お気に入り」属性を検索キーとして、画像を検索、表示することができる。例えば、ユーザが、マルチショット用レビュー表示を見て、撮影画像や配置画像を気に入り、「お気に入り」の操作を行うと、撮像装置１００は、お気に入り登録を行うと共に、自動的に配置画像を記録することができる。
【００２６】
Ｓ２０７において、システム制御部１０１は、保護指示を受け付けたか否かを判定する。システム制御部１０１は、ユーザにより「保護」の項目が選択された場合に、保護指示を受け付ける。システム制御部１０１は、保護指示を受け付けた場合には（Ｓ２０７でＹｅｓ）、処理をＳ２０８へ進める。システム制御部１０１は、保護指示を受け付けなった場合には（Ｓ２０７でＮｏ）、処理をＳ２１０へ進める。Ｓ２０８において、システム制御部１０１は、配置画像を記録媒体１１３に記録する。なお、Ｓ２０８の処理は、Ｓ２０５における処理と同様である。
【００２７】
次に、Ｓ２０９において、システム制御部１０１は、撮影画像に対し、付加情報として「保護」属性を付加し、その後処理をＳ２０２へ進める。なお、Ｓ２０９において、「保護」属性を付与する対象は、マルチショットモードにおいて生成された複数の撮影画像及び配置画像のうち少なくとも１つの画像であればよい。撮像装置１００は、再生モードにおいて画像を消去可能であるが、「保護」属性が付加された画像については、消去を禁止することができる。したがって、誤って画像を消去するのを防ぐことができる。このように、ユーザが「保護」の操作を行うと、撮像装置１００は、保護を登録すると共に、自動的に配置画像を記録することができる。
【００２８】
Ｓ２１０において、システム制御部１０１は、転送指示を受け付けたか否かを判定する。システム制御部１０１は、ユーザにより「転送」の項目が選択された場合に転送指示を受け付ける。システム制御部１０１は、転送指示を受け付けた場合には（Ｓ２１０でＹｅｓ）、処理をＳ２１１へ進める。システム制御部１０１は、転送指示を受け付けなった場合には（Ｓ２１０でＮｏ）、処理をＳ２１３へ進める。Ｓ２１１において、システム制御部１０１は、配置画像を記録媒体１１３に記録する。なお、Ｓ２１１の処理は、Ｓ２０５における処理と同様である。
【００２９】
次に、Ｓ２１２において、システム制御部１０１は、配置画像をプリンタや外部接続機器へ転送し、その後処理をＳ２０２へ進める。なお、Ｓ２１２における転送対象は、複数の撮影画像のうち少なくとも１つの撮影画像であってもよい。例えば、プリンタへの転送により印刷を行ったり、ＳＮＳ等で配置画像を共有したりすることができる。なお、システム制御部１０１は、画像を転送する際には、転送対象の画像をそのまま転送してもよく、また他の例としては、転送速度に最適な画像サイズにリサイズした上で転送してもよい。例えば、ユーザが、マルチショット用レビュー表示を見て、画像を気に入った場合に、「転送」の操作を行うと、撮像装置１００は、転送処理を行うと共に、自動的に配置画像を記録することができる。
【００３０】
Ｓ２１３において、システム制御部１０１は、配置画像の記録指示を受け付けたか否かを判定する。システム制御部１０１は、ユーザにより「マルチ表示画像保存」の項目が選択された場合に、配置画像の記録指示を受け付ける。システム制御部１０１は、配置画像の記録指示を受け付けた場合には（Ｓ２１３でＹｅｓ）、処理をＳ２１４へ進める。システム制御部１０１は、配置画像の記録指示を受け付けなかった場合には（Ｓ２１３でＮｏ）、処理をＳ２１５へ進める。Ｓ２１４において、システム制御部１０１は、配置画像を記録媒体１１３に記録し、その後処理をＳ２０２へ進める。なお、Ｓ２１１の処理は、Ｓ２０５における処理と同様である。例えば、ユーザがマルチショット用レビュー表示を気に入り、「マルチ表示画像保存」の操作を行うと、撮像装置１００は、配置画像を記録する。したがって、ユーザは、後に再生モードにおいて、配置画像を閲覧したり転送したりすることができる。
【００３１】
Ｓ２１５において、システム制御部１０１は、削除指示を受け付けたか否かを判定する。システム制御部１０１は、ユーザにより「削除」の項目が選択された場合に削除指示を受け付ける。システム制御部１０１は、削除指示を受け付けた場合には（Ｓ２１５でＹｅｓ）、処理をＳ２１６へ進める。システム制御部１０１は、削除指示を受け付けなかった場合には（Ｓ２１５でＮｏ）、処理をＳ２０２へ進める。Ｓ２１６において、システム制御部１０１は、マルチショットモードにおいて得られた複数の撮影画像を記録媒体１１３から削除する。
【００３２】
以上のように、システム制御部１０１は、「お気に入り」、「保護」、「転送」及び「保存」に対応する指示を受け付けた場合に、自動的に配置画像を記憶部としての記録媒体１１３に記録する。ここで、「お気に入り」、「保護」、「転送」及び「保存」に対応する指示は、撮像装置１００において予め定められた指示、すなわち所定の指示の一例である。また、Ｓ２０４，Ｓ２０７，Ｓ２１０，Ｓ２１３の処理は、受付処理の一例である。また、Ｓ２０６，Ｓ２０８，Ｓ２１１，Ｓ２１４の処理は、記録処理の一例である。
【００３３】
なお、撮像装置１００には、表示中の配置画像を気に入った場合に、ユーザが行うと推測される操作が配置画像の自動記録を行う操作として予め設定されているものとする。ユーザが表示中の配置画像を気に入った場合には、表示中の配置画像に対し、お気に入りとして登録する等所定の操作を行うことが推測される。そこで、本実施形態においては、撮像装置１００は、これら所定の操作に対応した指示を受け付けた場合に、配置画像の自動記録を行うこととした。これにより、撮像装置１００は、ユーザが配置画像を記録するための操作を行わなくとも、自動的に配置画像を記録することができる。なお、所定の指示は、表示中の配置画像を気に入った場合にユーザが行う可能性が高いものとして、撮像装置１００に予め設定されたものであればよく、指示（操作）の種類は実施形態に限定されるものではない。
【００３４】
以上のように、本実施形態に係る撮像装置１００は、所定の指示を受け付けた場合に、指示に対応する処理を行うと共に、自動的に配置画像を記録媒体１１３に記録することができる。したがって、ユーザは、撮影終了後に動作モードを再生モードに切り替えて、気に入った配置画像を作成し、記録するといった作業を要することなく、配置画像を記録することができる。さらに、マルチショット用レビュー表示を見てユーザが気に入らなかった場合には、システム制御部１０１は、配置画像の記録を行わない。このため、記録媒体１１３の容量を不要に消費することもなく、ユーザが配置画像を削除するための操作を行う必要もない。
【００３５】
第１の実施形態に係る撮像装置１００の第１の変更例としては、システム制御部１０１は、配置画像を記録媒体１１３に記録する際に、対応する複数の撮影画像のうち少なくとも１つに関連付けて記録してもよい。これにより、システム制御部１０１は、再生モードにおいてマルチショットモードで撮影した複数の撮影画像と配置画像とを同じグループ画像として、連続して又は並べて表示することができる。関連付けの方法としては、例えば、配置画像のファイルヘッダに、対応する複数の撮影画像の画像ＩＤ（識別情報）を記録すればよい。対応する複数の撮影画像のファイルヘッダに、配置画像の画像ＩＤ（識別情報）を付与してもよい。
【００３６】
また、第２の変更例としては、システム制御部１０１は、マルチショットモードにおいて得られた複数の撮影画像のうち少なくとも１つが削除された場合に、対応する配置画像を削除してもよい（削除処理）。これにより、マルチショットモードで得られた複数の撮影画像が不要となった場合には自動的に対応する配置画像も削除されるので、ユーザは、配置画像を削除するための操作を行う必要がない。
【００３７】
また、第３の変更例としては、システム制御部１０１は、配置画像の削除指示を受け付けた場合に、対応する複数の撮影画像を削除してもよい。これにより、配置画像が不要となった場合には自動的に対応する複数の撮影画像も削除されるので、ユーザは、複数の撮影画像を削除するための操作を行う必要がない。
【００３８】
また、第４の変更例としては、システム制御部１０１は、マルチショットモードにおいて得られた複数の撮影画像のうち少なくとも１つが削除又は編集された場合には、削除後又は編集後の複数の撮影画像に基づいて、再度配置画像を生成してもよい。そして、システム制御部１０１は、記録媒体１１３に記録された配置画像を新たに生成された配置画像に更新してもよい（更新処理）。なお、ここで、編集は、例えば画像の回転処理や、画像内の人物の顔の赤目補正処理等である。これにより、複数の撮影画像のうち少なくとも１つが編集された場合、対応する配置画像に含まれる編集対象の画像においても、同一の編集結果を反映することができる。また、複数の撮影画像のうち少なくとも１つが削除された場合、対応する配置画像に含まれる削除対象の画像も削除し、必要に応じて残りの撮影画像を再配置した新たな配置画像を記録することができる。これにより、撮像装置１００は、ユーザの意図する配置画像に、自動的に更新することができる。
【００３９】
また、第５の変更例としては、撮像装置１００は、配置画像を再生モードにおいて再生する場合、記録媒体１１３に記録された配置画像である旨をアイコン又はガイダンス等で表示してもよい。すなわち、撮像装置１００は、再生モードにおいて複数の撮影画像のマルチ表示、すなわち複数の撮影画像から画像表示メモリ１１１に生成された画像と、記録媒体１１３に記録された配置画像と、を識別可能に表示してもよい。これにより、ユーザは、両画像を容易に識別することができる。
【００４０】
（第２の実施形態）
次に、第２の実施形態に係る撮像装置１００について説明する。図４は、第２の実施形態に係る撮像装置１００によるレビュー処理を示すフローチャートである。Ｓ４００において、システム制御部１０１は、１回の撮影指示に応じて取得した複数の撮影画像をマルチ表示する。なお、Ｓ４００の処理は、図２を参照しつつ説明したＳ２００の処理と同様である。次に、Ｓ４０１において、システム制御部１０１は、表示部１１２のマルチ表示、すなわち複数の撮影画像が配置された画像全体を単一の配置画像として記録媒体１１３に記録する。なお、Ｓ４０１の処理は、Ｓ２０５の処理と同様である。例えば、図５（ａ）に示す複数の撮影画像が得られた場合には、図５（ｂ）に示すような配置画像が表示され、Ｓ４０１において、この配置画像が記録媒体１１３に記録される。
【００４１】
次に、Ｓ４０２において、システム制御部１０１は、操作部１０２に含まれるＦＵＮＣボタンが操作されたか否かを判定する。なお、Ｓ４０２の処理は、Ｓ２０１の処理と同様である。システム制御部１０１は、ＦＵＮＣボタンが操作されていない場合は（Ｓ４０２でＮｏ）、処理をＳ４０３へ進める。システム制御部１０１は、ＦＵＮＣボタンが操作された場合には（Ｓ４０２でＹｅｓ）、処理をＳ４０６へ進める。
【００４２】
Ｓ４０３において、システム制御部１０１は、マルチ表示を解除するか否かを判定する。なお、Ｓ４０３の処理は、Ｓ２０２の処理と同様である。システム制御部１０１は、マルチ表示を解除すると判定した場合には（Ｓ４０３でＹｅｓ）、処理をＳ４０４へ進める。一方、システム制御部１０１は、マルチ表示を解除しないと判定した場合には（Ｓ４０３でＮｏ）、処理をＳ４０２へ進める。Ｓ４０４において、システム制御部１０１は、Ｓ４０２においてＦＵＮＣボタンが少なくとも１回以上操作されたかどうかを判定する。システム制御部１０１は、ＦＵＮＣボタンが操作された場合には（Ｓ４０４でＹｅｓ）、マルチ表示を解除してレビュー処理を終了する。システム制御部１０１は、ＦＵＮＣボタンが操作されていない場合は（Ｓ４０４でＮｏ）、処理をＳ４０５へ進める。
【００４３】
Ｓ４０５において、システム制御部１０１は、Ｓ４０１において記録媒体１１３に記録した配置画像を削除する（削除処理）。ユーザによりＦＵＮＣボタンが１回も操作されていないのは、ユーザがマルチ表示を確認し、気に入らなかったためと推測することができる。そこで、本実施形態に係るシステム制御部１０１は、図５（ｃ）に示すように、ユーザ操作が行われなかった場合には、記録媒体１１３に記憶された配置画像を削除する。
【００４４】
次に、Ｓ４０６において、システム制御部１０１は、ユーザが画像操作を行うための「お気に入り」、「保護」、「転送」、「削除」及び「マルチ表示画像保存」の項目からなるＦＵＮＣメニューを、配置画像に重畳して表示する。この状態において、ユーザは操作部１０２を操作することでＦＵＮＣメニューから項目を選択し、１枚または全部の撮影画像に対する操作を行う。
【００４５】
次に、Ｓ４０７において、システム制御部１０１は、お気に入りの登録指示を受け付けたか否かを判定する。システム制御部１０１は、ユーザにより「お気に入り」の項目が選択された場合に、お気に入りの登録指示を受け付ける。システム制御部１０１は、お気に入りの登録指示を受け付けた場合には（Ｓ４０７でＹｅｓ）、処理をＳ４０８へ進める。システム制御部１０１は、お気に入りの登録指示を受け付けなかった場合には（Ｓ４０７でＮｏ）、処理をＳ４０９へ進める。Ｓ４０８において、システム制御部１０１は、撮影画像に対し、付加情報として「お気に入り」属性を付加し、その後処理をＳ４０３へ進める。なお、Ｓ４０８において、「お気に入り」属性を付加する対象は、マルチショットモードにおいて生成された複数の撮影画像及び配置画像のうち少なくとも１つの画像であればよい。
【００４６】
Ｓ４０９において、システム制御部１０１は、保護指示を受け付けたか否かを判定する。システム制御部１０１は、ユーザにより「保護」の項目が選択された場合に、保護指示を受け付ける。システム制御部１０１は、保護指示を受け付けた場合には（Ｓ４０９でＹｅｓ）、処理をＳ４１０へ進める。システム制御部１０１は、保護指示を受け付けなった場合には（Ｓ４０９でＮｏ）、処理をＳ４１１へ進める。Ｓ４１０において、システム制御部１０１は、撮影画像に対し、付加情報として「保護」属性を付加し、その後処理をＳ４０３へ進める。なお、Ｓ４１０において、「保護」属性を付与する対象は、マルチショットモードにおいて生成された複数の撮影画像及び配置画像のうち少なくとも１つの画像であればよい。
【００４７】
Ｓ４１１において、システム制御部１０１は、転送指示を受け付けたか否かを判定する。システム制御部１０１は、ユーザにより「転送」の項目が選択された場合に転送指示を受け付ける。システム制御部１０１は、転送指示を受け付けた場合には（Ｓ４１１でＹｅｓ）、処理をＳ４１２へ進める。システム制御部１０１は、転送指示を受け付けなった場合には（Ｓ４１１でＮｏ）、処理をＳ４１３へ進める。Ｓ４１２において、システム制御部１０１は、配置画像をプリンタや外部接続機器へ転送し、その後処理をＳ４０３へ進める。なお、Ｓ４１２における転送対象は、複数の撮影画像のうち少なくとも１つの撮影画像であってもよい。なお、システム制御部１０１は、画像を転送する際には、転送対象の画像をそのまま転送してもよく、また他の例としては、転送速度に最適な画像サイズにリサイズした上で転送してもよい。
【００４８】
Ｓ４１３において、システム制御部１０１は、配置画像の記録指示を受け付けたか否かを判定する。システム制御部１０１は、ユーザにより「マルチ表示画像保存」の項目が選択された場合に、配置画像の記録指示を受け付ける。システム制御部１０１は、配置画像の記録指示を受け付けた場合には（Ｓ４１３でＹｅｓ）、処理をＳ４０３へ進める。なお、Ｓ４０１において既に配置画像の記録が行われているため、記録指示を受け付けた場合には、これに対応して改めて記録処理を行う必要はない。システム制御部１０１は、配置画像の記録指示を受け付けなかった場合には（Ｓ４１３でＮｏ）、処理をＳ４１４へ進める。
【００４９】
Ｓ４１４において、システム制御部１０１は、削除指示を受け付けたか否かを判定する。システム制御部１０１は、ユーザにより「削除」の項目が選択された場合に削除指示を受け付ける。システム制御部１０１は、削除指示を受け付けた場合には（Ｓ４１４でＹｅｓ）、処理をＳ４１５へ進める。システム制御部１０１は、削除指示を受け付けなかった場合には（Ｓ４１４でＮｏ）、処理をＳ４０３へ進める。Ｓ４１５において、システム制御部１０１は、マルチショットモードにおいて得られた複数の撮影画像と、Ｓ４０１において記録した配置画像の両方を記録媒体１１３から削除する。なお、第２の実施形態に係る撮像装置１００の構成及び処理は、第１の実施形態に係る撮像装置１００の構成及び処理と同様である。
【００５０】
以上説明したように、本実施形態の撮像装置１００は、マルチ表示時に配置画像を一時記録し、その後ユーザ操作が行われた場合には、配置画像を残し、ユーザ操作が行われなかった場合や削除の操作が行われた場合には、配置画像を自動的に削除する。したがって、ユーザが撮影終了後に動作モードを再生モードに切り替え、気に入ったマルチ表示配置画像を生成、記録するための操作を行わなくとも、撮像装置１００は、自動的に配置画像を記録する画像を作成して記録することができる。また、撮像装置１００は、ユーザ操作が行われなかった場合には、配置画像を自動的に削除するので、ユーザは、配置画像を削除するための操作を行う必要がなく、記録媒体１１３の容量を不要に消費するのを防ぐことができる。また、撮像装置１００は、マルチ表示時に配置画像を記録するため、ユーザ操作が行われた時点で配置画像を生成、記録する処理を行わなくてよいため、処理負荷を軽減することができる。
【００５１】
第２の実施形態の変更例としては、システム制御部１０１は、マルチ表示時に配置画像を記録媒体１１３に記録するのに替えて、撮像装置１００のメモリ内に一時記録してもよい。この場合、システム制御部１０１は、マルチ表示の解除時にメモリ内に記録された配置画像を記録媒体１１３に記録すればよい。
【００５２】
（第３の実施形態）
次に、第３の実施形態に係る撮像装置１００について説明する。本実施形態に係る撮像装置１００は、ユーザにより、配置画像を記録する動作モードに設定されている場合に、配置画像の記録を行う。例えば、図６は、配置画像の記録に関する動作モードの設定画面の一例を示す図である。設定画面６００において、ＯＮボタン６０１が選択されると、システム制御部１０１は、配置画像を記録するモードに設定する。一方、ＯＦＦボタン６０２が選択されると、システム制御部１０１は、配置画像を記録しないモードに設定する。
【００５３】
図７は、第３の実施形態に係る撮像装置１００によるレビュー処理を示すフローチャートである。Ｓ７００において、システム制御部１０１は、１回の撮影指示に応じて取得した複数の画像をマルチ表示する。なお、Ｓ７００の処理は、図２を参照しつつ説明したＳ２００の処理と同様である。次に、Ｓ７０１において、システム制御部１０１は、配置画像を記録する動作モードに設定されているか否かを判定する。システム制御部１０１は、配置画像を記録する動作モードに設定されている場合には（Ｓ７０１でＹｅｓ）、処理をＳ７０２へ進める。システム制御部１０１は、配置画像を記録する動作モードに設定されていない場合には（Ｓ７０１でＮｏ）、レビュー処理を終了する。
【００５４】
Ｓ７０２において、１０１は、表示部１１２のマルチ表示、すなわち複数の撮影画像が配置された画像全体を単一の配置画像として記録媒体１１３に記録する。なお、Ｓ７０２の処理は、Ｓ２０５の処理と同様である。以上でレビュー処理が終了する。なお、第３の実施形態に係る撮像装置１００の構成及び処理は、他の実施形態に係る撮像装置１００の構成及び処理と同様である。例えば、図５（ａ）に示す複数の撮影画像が得られた場合には、図５（ｂ）に示すような配置画像が表示され、Ｓ７０２において、この配置画像が記録媒体１１３に記録される。
【００５５】
以上のように、本実施形態においては、撮像装置１００は、配置画像を記録する設定が行われている場合には、ユーザ操作を要することなく、マルチ表示が行われると自動的に配置画像を記録することができる。一方で、撮像装置１００は、配置画像を記録しない設定が行われている場合には、配置画像の記録を行わないので、記録媒体１１３の容量を不要に消費することもなく、またユーザが不要な配置画像の消去を手動で行う必要もない。
【００５６】
また、第３の実施形態の変更例としては、撮像装置１００は、マルチショットモードでの撮影後、マルチ表示を行った上で、その都度配置画像の記録を行うか否かをユーザに選択させることとしてもよい。また、他の例としては、撮像装置１００は、マルチショットモードでの撮影後に、生成された複数の撮影画像又は配置画像を解析し、配置画像を記録するかどうかを自動的に決定してもよい。
【００５７】
なお、本実施形態において説明したシステム制御部１０１の制御は１つのハードウェアが行ってもよいし、複数のハードウェアが処理を分担することで、装置全体の制御を行ってもよい。また、本発明をその好適な実施形態に基づいて詳述してきたが、本発明はこれら特定の実施形態に限られるものではなく、この発明の要旨を逸脱しない範囲の様々な形態も本発明に含まれる。さらに、上述した各実施形態は本発明の一実施形態を示すものにすぎず、各実施形態を適宜組み合わせることも可能である。
【００５８】
また、上述した実施形態においては、本発明を撮像装置に適用した場合を例にして説明したが、この例に限定されず、マルチショットモード等１回の撮影指示に対応して得られた複数の撮影画像に対する処理を実行可能な情報処理装置に適用可能である。すなわち、本発明は、撮像機能つきのパーソナルコンピュータやＰＤＡ、カメラ付きの携帯電話端末や携帯型の画像ビューワ、ディスプレイを備えるプリンタ装置、デジタルフォトフレーム、音楽プレーヤー、ゲーム機、電子ブックリーダー等に適用可能である。
【００５９】
（その他の実施例）
本発明は、上述の実施形態の１以上の機能を実現するプログラムを、ネットワーク又は記憶媒体を介してシステム又は装置に供給し、そのシステム又は装置のコンピュータにおける１つ以上のプロセッサーがプログラムを読出し実行する処理でも実現可能である。また、１以上の機能を実現する回路（例えば、ＡＳＩＣ）によっても実現可能である。
【００６０】
以上、上述した各実施形態によれば、１回の撮影指示に応じて生成された複数の撮影画像が配置された配置画像を、煩雑な操作を行うことなく記録することができる。
【００６１】
以上、本発明の好ましい実施形態について詳述したが、本発明は係る特定の実施形態に限定されるものではなく、特許請求の範囲に記載された本発明の要旨の範囲内において、種々の変形・変更が可能である。
【符号の説明】
【００６２】
１００  撮像装置
１０１  システム制御部
１１２  表示部
１１３  記録媒体
【図１】
0006594134.tif 000002
【図２】
0006594134.tif 000003
【図３】
0006594134.tif 000004
【図４】
0006594134.tif 000005
【図５】
0006594134.tif 000006
【図６】
0006594134.tif 000007
【図７】
0006594134.tif 000008